(57)【特許請求の範囲】
【請求項１】
上側に開口部を有する有底円筒形状の容器と、該容器の前記開口部を開閉する蓋体と、前記開口部の外周面に沿って複数箇所取り付けられ前記蓋体を閉位置において前記容器に固定するロック機構とからなる圧力調理器であって、
前記ロック機構は、前記蓋体の外周面に沿って複数箇所取り付けられた蓋体側クラッチ爪と、前記容器開口部近傍に外周面に沿って前記蓋体側クラッチ爪と夫々対応する位置に取り付けられた容器側クラッチ爪と、前記蓋体側クラッチ爪と係合するとともに前記容器外周面に沿ってスライドすることによって前記蓋体側クラッチ爪と係合する複数の係合部材と、該係合部材をスライドさせる駆動機構とからなり、
前記係合部材は、連結部材によって互いに連結されており、
前記蓋体側クラッチ爪は、一端部が前記蓋体に取り付けられ、他端部である先端部が容器側へ曲げられて略コの字型となっているとともに、該先端部は前記蓋体の外周面に沿う方向に間隔を空けて複数箇所切り欠かれて櫛歯状となっており、
前記容器側クラッチ爪には、外側へ突出する係合突条が全長に亘って容器の外周面に沿う方向に設けられ、該係合突条は常時前記係合部材と係合しており、
前記係合部材は、上下にフランジを有する側面視略エの字型の部材であり、その上フランジは、容器の外周面に沿う方向に間隔を空けて複数箇所切り欠かれて櫛歯状となっているとともに、該櫛歯は非ロック時において前記蓋体側クラッチ爪の櫛歯と歯の位置が互いにずれており、
前記係合部材をスライドすることにより、前記蓋体側クラッチ爪の先端部と前記容器側クラッチ爪の係合突条とが前記上下のフランジ間に係合され、これによって前記蓋体と前記容器がロックされるように構成されていることを特徴とする圧力調理器。
【請求項２】
前記駆動機構は、エアシリンダであることを特徴とする請求項１に記載の圧力調理器。
【請求項３】
前記駆動機構の外面側を覆う駆動機構カバーと、該駆動機構カバーの外面にヒンジを介して回動可能に取り付けられたクラッチカバーとを備えており、
該クラッチカバーは、前記ヒンジにより一方向に回動するように付勢されてなるとともに、該一方向への回動終端位置において前記係合部材を覆うことを特徴とする請求項１又は２記載の圧力調理器。
【発明の詳細な説明】
【技術分野】
【０００１】
本発明は、蓋を閉状態でロックする機構を有する圧力調理器に関し、より詳しくは複数箇所存在するロック機構によるロックを同時に作動又は解除することを可能とする圧力調理器に関する。
【背景技術】
【０００２】
圧力調理器は、容器と蓋体とを密閉することによって空気や液体が逃げないようにし、加熱をすることによって封入した液体の沸点を高めることで調理器内を大気圧以上の圧力、例えば調理器内圧力を１．４〜１．５気圧程度までに上昇可能とする。調理器内の圧力を上昇させることができることから、１１０℃前後での加熱調理が可能となり、一般的な鍋による加熱調理と比較して約１／３程度の加熱時間で調理を行うことができる。そのため、圧力調理器を使用すると、各種ビタミン、ミネラル等の栄養素が調理の段階で失われていくのを防止することができ、これら栄養素を効率的に摂取することを可能とする。また、一般的な鍋では調理できない、又は調理が可能であったとしても多くの調理時間を必要とするスジ肉やスネ肉、魚の骨等といった硬い素材でも、圧力調理器を使用すれば風味を損ねることなく柔らかく且つ美味しく調理できる。このように、圧力調理器は、一般的な鍋等と比較して多くの利点を有しているため、今日では広く一般に普及している。
【０００３】
しかしながら、圧力調理器の使用時においては、圧力調理器内は高温で内圧が高くなっているため、使用時に圧力調理器の蓋体が不意に開放されると、熱湯及び加熱された被調理物が外へ飛散して、場合によっては圧力調理器の使用者に接触し火傷させる恐れがある。このため、圧力調理器には、通常、蓋体ロック機構が付設され、圧力調理器の作動中に蓋体が不意に開放されないようになっている。
【０００４】
従来は、圧力調理器を使用する調理者の安全性への配慮から、確実に圧力調理器の容器と蓋体とをロックするために、複数箇所をネジやボルトとナット等の固定具によって固定することにより圧力調理器の容器と蓋体とをロックしていた。固定具によるロックでは、ドライバーや六角レンチ等を使用しながら１箇所ずつロックの作動や解除を行うことを必要とすることから、蓋体のロックの作動や解除に時間を要し大変手間がかかるという問題がある。また、調理中は当然のこと、調理終了後であったとしても圧力調理器内に圧力が残存している場合があり、このような場合において使用者がロックを解除すると、最初に固定具をはずした一箇所のみから圧力が抜けていくため大変危険であり、また、蒸気圧の力により蓋体、容器、固定具等の破損へとつながるという問題も生じている。
【０００５】
この問題を解決するために、特許文献１では、基台部と柱状部を備える枠体と、基台部に据え付けられたガスコンロと、柱状部の上方に設けられた回動レバーと、回動レバーの回動操作によって上下するロッドの下端に取り付けられてガスコンロ上で上下に可動であり且つ最下位置でガスコンロに載置された圧力鍋に圧着して密閉する鍋蓋と、鍋蓋が圧力鍋に圧着した状態で前記回動レバーを固定するロックピンを備えるロック機構と、を有する圧力鍋が提案されている。この圧力鍋では、容器と蓋体とを固定具によって複数箇所固定する必要はなく、回動レバーを回転させることによってロッドの下端に取り付けられた蓋体が容器に圧着することにより圧力調理器を密閉することができるため、蓋体の着脱が容易となっており、また、使用者がロックを解除しようとした場合であったとしても、蓋体全体が上下するため一箇所のみから圧力が抜けていくこともない。
【０００６】
しかしながら特許文献１記載の圧力調理器は、圧力調理器本体に枠体が備えられているため非常に大掛かりな装置となっており、構成も複雑であり、省スペース化を行うことができない。
【０００７】
【特許文献１】特開２００３−２３０４８２号公報
【発明の開示】
【発明が解決しようとする課題】
【０００８】
本発明は、上記問題点を解決すべくなされたものであって、複数箇所存在するロック機構によるロックを同時に作動又は解除することができ、ロックの一部のみが解除されることによって一箇所のみから圧力が抜けていくことによる危険性や蓋体、容器、固定具等の破損を防止することができ、ロックの作動や解除を容易にし、且つ構成が単純であり省スペース化を図ることができる圧力調理器を提供することを目的とする。
【課題を解決するための手段】
【０００９】
請求項１に係る発明は、上側に開口部を有する有底円筒形状の容器と、該容器の前記開口部を開閉する蓋体と、前記開口部の外周面に沿って複数箇所取り付けられ前記蓋体を閉位置において前記容器に固定するロック機構とからなる圧力調理器であって、前記ロック機構は、前記蓋体の外周面に沿って複数箇所取り付けられた蓋体側クラッチ爪と、前記容器開口部近傍に外周面に沿って前記蓋体側クラッチ爪と夫々対応する位置に取り付けられた容器側クラッチ爪と、前記蓋体側クラッチ爪と係合するとともに前記容器外周面に沿ってスライドすることによって前記蓋体側クラッチ爪と係合する複数の係合部材と、該係合部材をスライドさせる駆動機構とからなり、前記係合部材は、連結部材によって互いに連結されており、前記蓋体側クラッチ爪は、一端部が前記蓋体に取り付けられ、他端部である先端部が容器側へ曲げられて略コの字型となっているとともに、該先端部は前記蓋体の外周面に沿う方向に間隔を空けて複数箇所切り欠かれて櫛歯状となっており、前記容器側クラッチ爪には、外側へ突出する係合突条が全長に亘って容器の外周面に沿う方向に設けられ、該係合突条は常時前記係合部材と係合しており、前記係合部材は、上下にフランジを有する側面視略エの字型の部材であり、その上フランジは、容器の外周面に沿う方向に間隔を空けて複数箇所切り欠かれて櫛歯状となっているとともに、該櫛歯は非ロック時において前記蓋体側クラッチ爪の櫛歯と歯の位置が互いにずれており、前記係合部材をスライドすることにより、前記蓋体側クラッチ爪の先端部と前記容器側クラッチ爪の係合突条とが前記上下のフランジ間に係合され、これによって前記蓋体と前記容器がロックされるように構成されていることを特徴とする圧力調理器に関する。
【００１０】
請求項２に係る発明は、前記駆動機構は、エアシリンダであることを特徴とする請求項１に記載の圧力調理器に関する。
【００１１】
請求項３に係る発明は、前記駆動機構の外面側を覆う駆動機構カバーと、該駆動機構カバーの外面にヒンジを介して回動可能に取り付けられたクラッチカバーとを備えており、該クラッチカバーは、前記ヒンジにより一方向に回動するように付勢されてなるとともに、該一方向への回動終端位置において前記係合部材を覆うことを特徴とする請求項１又は２記載の圧力調理器に関する。
【発明の効果】
【００１２】
請求項１に係る発明によれば、複数の係合部材は、連結部材によって互いに連結されていることから、複数箇所存在するロック機構によるロックを同時に作動又は解除することができる。また、係合部材自体や、係合部材に付設されている駆動機構の一部が壊れていたとしても、係合部材が互いに連結部材によって連結されているため、一部のみが非係合となることを防止することができる。そのため、使用者の安全を確保し、圧力調理器の破損を防止することができる。圧力調理器には特に枠体等を必要とせず、係合部材を連結させることのみによってすべてのロック機構の作動又は解除を行うことができるため、単純な構成とすることができ、圧力調理器の省スペース化を図ることができる。
【００１３】
請求項２に係る発明によれば、駆動機構は、エアシリンダであることから、単純な構成にて迅速に係合部材をスライドさせることができ、係合部材と蓋体側クラッチ爪とを係合させることができる。
【００１４】
請求項３に係る発明によれば、駆動機構の外面側を覆う駆動機構カバーを有することから、駆動機構へゴミ等が混入するのを防止することができる。駆動機構カバーの外面にヒンジを介して回動可能に取り付けられたクラッチカバーを備えており、該クラッチカバーは、前記ヒンジにより一方向に回動するように付勢されてなるとともに、該一方向への回動終端位置において前記係合部材を覆うことから、開口部が開放状態のときにはクラッチカバーが係合部材を覆い、係合箇所へゴミ等が混入するのを防止することができる。駆動機構や係合箇所へゴミ等が混入するのを防止することができるため、駆動機構や係合箇所が破損するのを防止することができ、ロック機構によるロックの作動や解除をスムーズに行うことができる。
【発明を実施するための最良の形態】
【００１５】
以下、本発明に係る圧力調理器の好適な実施形態について、図面を参照しつつ説明する。
図１は、本発明に係る第１の実施形態における圧力調理器のロック機構の図である。図２は、本発明に係る第１の実施形態における圧力調理器の側面図である。図３は、本発明に係る第１の実施形態における圧力調理器の蓋体の平面図である。図４は、本発明に係る第１の実施形態における圧力調理器の蓋体側クラッチ爪の図であって（ａ）は正面図、（ｂ）は側面図、（ｃ）は底面図、（ｄ）は斜視図である。図５は、本発明に係る第１の実施形態における圧力調理器の容器側クラッチ爪の図であって（ａ）は側面図、（ｂ）は斜視図である。図６は、本発明に係る第１の実施形態における圧力調理器の係合部材の図であって（ａ）は正面図、（ｂ）は側面図、（ｃ）は斜視図である。図７は、蓋体で開口部を閉塞した時において蓋体側クラッチ爪が係合部材の下フランジ内面に当接した状態で係合箇所を上側から上フランジを透過して見た図である。図８は、本発明に係る第１の実施形態における圧力調理器の容器の平面図であって、（ａ）はロック機構と連結部材を配置した図、（ｂ）は駆動機構（エアシリンダ）を配置した図である。図９は、本発明に係る第１の実施形態におけるロック機構の側面図であって、（ａ）はエアシリンダが収縮している図、（ｂ）はエアシリンダが伸長している図である。
【００１６】
本発明に係る圧力調理器１００は、容器１と、蓋体２と、ロック機構３と連結部材８を備えている。
【００１７】
容器１は、有底円筒形状であってその上側には開口部を有し、開口部から内部へと被調理物と水とが投入される。容器１の材質は、容器１内の圧力が高くなるため強度が強いものを使用することが必要であり、例えば、クラッド鋼板、ステンレス、鉄、アルミニウム合金等を使用することができる。容器１の容積は、用途によって適宜選択されるが、例えば圧力調理器１００が業務用の場合は２００Ｌのものを使用することができる。容器１は図８（ａ）（ｂ）においてＡ−Ａ´線を軸として揺動可能となっており、被調理物の投入時にはＢ側を下げ、被調理物の取出時にはＢ´を下げることができる。これにより被調理物の出し入れを容易にしている。尚、図８（ａ）（ｂ）において、蓋体２はＡの位置に回動可能に取り付けられている。
【００１８】
蓋体２は、図２に示す通り、容器１の開口部近傍に設けられた回動軸を介して取り付けられており、回動軸を支点としてパワーシリンダの駆動により回動することによって容器１の開口部を開閉する。蓋体２が容器１の開口部を閉塞したときには、蓋体２の周縁部は容器１の開口部の周縁部と密着する。蓋体２と容器１とが密着する部分においては、容器１内を完全密封するために、図１の通り、蓋体２の周縁部に沿ってパッキン２１が設けられている。パッキン２１の材質は、容器１内を完全密封することができるもの、例えばゴムや合成樹脂等を使用することができるが、容器１内の温度が１１０〜１２０℃まで上昇するため、耐熱性を必要とする。蓋体２の材質は、容器１の材質と同様強度が強いもの、例えば、クラッド鋼板、ステンレス、鉄、アルミニウム合金等を使用することができる。
【００１９】
ロック機構３は、容器１の開口部の外周面に沿って複数箇所取り付けられており、蓋体２を閉位置において容器１に固定するものである。ロック機構３は周方向に沿って等間隔に備えられていることにより、容器１が揺動するのを妨げることがなく、被調理物の投入や取出を妨げることもない。ロック機構３は、蓋体側クラッチ爪４と、容器側クラッチ爪５と、係合部材６と、駆動機構７を備えている。
【００２０】
蓋体側クラッチ爪４は、図１に示す通り、側面視略鍵型状に形成されており、一端部である鍵型基部４１が蓋体２に取り付けられており、他端部である先端部４２は容器１側へ曲げられて略コの字型となっている。蓋体側クラッチ爪４は、蓋体２の外周面に沿って等間隔で複数箇所取り付けられ、図３では４箇所取り付けられている。但し、蓋体側クラッチ爪４の取り付け箇所は、２箇所以上であれば特に限定されることはない。しかし、容器２が揺動するのを妨げない位置に取り付ける必要がある。
蓋体側クラッチ爪４の他端部である先端部４２は、後述する係合部材６と係合するために、図４（ｃ）に示す通り長手方向（蓋体２の外周面に沿う方向）に間隔を空けて複数箇所切り欠かれており、櫛歯状となっている。蓋体２によって、容器１の開口部を閉塞した場合は、蓋体側クラッチ爪４の先端部４２の下面４３が係合部材６の下部フランジ内面６１に当接するまで蓋体２が下降する。
【００２１】
容器側クラッチ爪５は、蓋体側クラッチ爪４と対応するように容器１の外周面に沿って取り付けられ、後述する係合部材６と一体となって、係合箇所を形成する。図５（ａ）、（ｂ）に示す通り、容器側クラッチ爪５には外側へ突出する係合突条５１が全長に亘って（容器１の外周面に沿う方向に）設けられ、図１に示す通り、常時係合部材６と係合している。
【００２２】
係合部材６は、上下にフランジを有する側面視略エの字型の部材であり、蓋体側クラッチ爪４の先端部４２と容器側クラッチ爪５の係合突条５１とが上下のフランジ間に係合することによって、蓋体２と容器１がロックされている。図６に示す通り、係合部材６の上フランジ６２の長手方向（容器１の外周面に沿う方向）に間隔を空けて複数箇所切り欠かれており、櫛歯状となっている。蓋体側クラッチ爪４の非切欠部（図４（ｃ）（ｄ）のｈの部分）に対応する係合部材６の上フランジ６２の部分は切り欠かれており（図６（ａ）（ｃ）のｉの部分）、逆に、蓋体側クラッチ爪４の切欠部（図４（ｃ）（ｄ）のｊの部分）に対応する係合部材６の上フランジ６２の部分が切り欠かれていないことによって（図６（ａ）（ｃ）のｋの部分）、蓋体側クラッチ爪４の先端部４２の櫛歯と係合部材６の上フランジ６２の櫛歯とは互いにずれている。これにより、蓋体側クラッチ爪４の先端部４２は、係合部材６の上フランジ６２上面６３とは接触せず、係合部材６の下フランジ内面６１と当接するまで下降することが可能となる。この状態を上側から上フランジを透過して見た図を図７に示す。その後、係合部材６が容器１の外周面に沿う方向にスライドすることによって蓋体側クラッチ爪４と係合部材６とが上下のフランジ間に係合することができる。蓋体２の開閉を容易にするために、蓋体側クラッチ爪４の非切欠部（図４（ｃ）（ｄ）のｈの部分）は、係合部材６の切欠部（図６（ａ）（ｃ）のｉの部分）よりも狭くなっている。
【００２３】
図８（ａ）に示すとおり、本発明において、周方向に隣り合う係合部材６は互いに連結部材８によって連結されている。係合部材６が連結部材８によって連結されていることにより、複数箇所存在するロック機構３によるロックを同時に作動又は解除することができる。また、係合部材６自体や、係合部材６に付設されている駆動機構７の一部が壊れていたとしても、係合部材６が互いに連結部材８によって連結されているため、一部のみが非係合となることを防止することができる。これにより使用者の安全を確保し、圧力調理器１００の破損を防止することができる。圧力調理器１００には特に枠体等を必要とせず、係合部材６を連結させることのみであるため、単純な構成とすることができ、圧力調理器１００の省スペース化を図ることができる。
【００２４】
連結部材８は、連結棒８１と接続コネクタ８２とからなっている。
連結棒８１は、連結部材８同士を平面視円状の容器１を取り囲むように架け渡す必要があることから、両端部において内側へ僅かに折り曲げられる。折り曲げられた両端部には、接続コネクタ８２が取り付けられる。
接続コネクタ８２は、係合部材６との接続部８３において水平面内において回動自在となっている。水平面内において回動自在とすることにより、係合部材６全体がスライドする際に、スムーズに円周方向に全ての係合部材６をスライドさせることができる。
【００２５】
駆動機構７は、図９（ａ）（ｂ）においてはエアシリンダを使用しており、エアシリンダの一端部は容器１の側面部に固定され、スライドする他端部は係合部材６に固定されている。エアシリンダが伸縮することによって、係合部材６は容器１の外周面に沿う方向にスライドする。スライドする距離は、蓋体側クラッチ爪４と係合部材６とが係合する程度である。係合する程度とは、蓋体側クラッチ爪４の非切欠部（図４（ｃ）（ｄ）のｈの部分）と係合部材６の上フランジ６２の非切欠部（図６（ａ）（ｃ）の部分）とが重なることによって係合する程度、つまり蓋体側クラッチ爪４の先端部４２と係合部材６の上フランジ６２の互いにずれた櫛歯が重なる程度である。
【００２６】
駆動機構７の駆動手段については特に限定されず、手動方式、ギアモータ、エアシリンダ、油圧シリンダ等を使用することができるが、図９（ａ）（ｂ）に示す通り、エアシリンダを使用することが好ましい。単純な構成にて迅速に係合部材６を係脱させることができるからである。駆動機構７は、図８（ｂ）に示す通り、各係合箇所ごとに付設しても良いし、係合部材６は互いに連結されているため、駆動機構７を１箇所設け、他の係合箇所については連動させてもよい。
【００２７】
本発明においては、図８（ｂ）に示す通り、Ａ−Ｂ間とＡ´−Ｂ´間ではエアシリンダ７１が、Ｂ´−Ａ間とＢ−Ａ´間ではエアシリンダ７２が容器１の外周方向に沿って交互に配置される。エアシリンダ７１は、図９（ａ）に示す通り、ロック機構３の解除時にはシリンダが収縮しており、ロック機構３の作動時にはシリンダが伸長することによって、係合部材６をスライドさせるものである。一方、エアシリンダ７２は、図９（ｂ）に示す通り、ロック機構３の解除時にはシリンダが伸長しており、ロック機構３の作動時にはシリンダが収縮することによって、係合部材６をスライドさせるものである。このようにエアシリンダ７１とエアシリンダ７２とを交互に配置することによって、ロック機構の作動時の衝撃を緩和することができる。
【００２８】
以下、本発明に係る圧力調理器の動作について説明する。図１０は、本発明に係る第１の実施形態における圧力調理器の蓋体を閉塞する直前の係合箇所の図である。図１１は、本発明に係る第１の実施形態における圧力調理器の蓋体を閉塞した図である。図１２は、本発明に係る第１の実施形態における圧力調理器の蓋体をロックした図である。
【００２９】
蓋体２を上方向に回動させ容器１の開口部を開放した状態とし、米、豆、野菜類、肉類、魚類等の被調理物を容器１内に図８（ａ）（ｂ）に示すＢ方向から所定量投入し、その後所定量水を投入する。被調理物に味付けを行う場合は、塩、しょうゆ、砂糖、みりん、酒、化学調味料等を適宜所定量投入する。
【００３０】
その後、蓋体２を下方に回動させることによって容器１の開口部を閉塞する。その際、図１０に示す通り、蓋体側クラッチ爪４が上方から係合部材６側へと下がってくる。前述の通り、蓋体側クラッチ爪４の非切欠部（図４（ｃ）（ｄ）のｈの部分）に対応する係合部材６の上フランジ６２の部分は切り欠かれており（図６（ａ）（ｃ）のｉの部分）、逆に、蓋体側クラッチ爪４の切欠部（図４（ｃ）（ｄ）のｊの部分）に対応する係合部材６の上フランジ６２の部分が切り欠かれていないことにより（図６（ａ）（ｃ）のｋの部分）、蓋体側クラッチ爪４の下面４３と係合部材上面６３が接触することなく、図１１の通り、蓋体側クラッチ爪４の下面４３が係合部材６の下フランジ内面６１と当接するまで下降することが可能となる。
【００３１】
その後、図９（ａ）に示すエアシリンダ７１を伸長させ、図９（ｂ）に示すエアシリンダ７２を収縮させることにより、係合部材６を図９（ａ）（ｂ）の右方向にスライドさせ、蓋体２のロックを行う。図８（ａ）を用いて説明した如く、係合部材６は、連結部材８を介して全て架け渡すように連結されており、Ａ−Ｂ間とＡ´−Ｂ´間のエアシリンダ７１が伸長し、Ｂ´−Ａ間とＢ−Ａ´間のエアシリンダ７２が収縮することによりすべての係合部材６が同時に反時計回り方向にスライドされる。係合部材６スライド後の係合箇所は、図１１の状態から係合部材６が図面右側へスライドすることにより、図１２の状態となり、蓋体側クラッチ爪４の先端部４２が係合部材６の上フランジ６２と係合している。これにより、蓋体２のロックが行われている。すべての係合部材６が同時にスライドするため、全てのロック機構３によって同時に蓋体２は容器１にロックされる。その後、ロックが解除されないようにするため、ロックピン３１を挿入する。
【００３２】
蓋体２のロック後に圧力調理器１００の加熱を行い、容器１内に投入された被調理物の調理を開始する。調理時間は容器１内部の被調理物によって適宜選択される。調理終了後は、圧力調理器１００内部の圧力が外部の圧力と同等となるまでは、蓋体２のロックは解除せず、外部の圧力と同等となった場合に、ロックの解除を行う。まずロックピン３１を取り外し、図９（ａ）に示すエアシリンダ７１を収縮させ、図９（ｂ）に示すエアシリンダ７２を伸長させることにより、係合部材６を図９（ａ）（ｂ）の左方向にスライドさせ、蓋体２のロックの解除を行う。図８（ａ）を用いて説明した如く、係合部材６は、連結部材８を介して全て架け渡すように連結されており、Ａ−Ｂ間とＡ´−Ｂ´間のエアシリンダ７１が収縮し、Ｂ´−Ａ間とＢ−Ａ´間のエアシリンダ７２が伸長することによりすべての係合部材６が同時に時計回り方向にスライドされ、ロックが解除される。その後蓋体２を回動させることにより容器１の開口部を開放し、調理後の被調理物を容器１から図８（ａ）（ｂ）に示すＢ´方向へと取り出す。
【００３３】
図１３は本発明に係る圧力調理器の第２の実施形態を示したロック機構の図であって（ａ）は蓋体を閉塞する前の状態を、（ｂ）は蓋体を閉塞した後の状態を示した図である。図１４は、第２の実施形態に使用されるクラッチカバーの構成図であって（ａ）は左側面図、（ｂ）は正面図、（ｃ）は右側面図である。
本発明に係る第２の実施形態に係る圧力調理器１００は、駆動機構の外面側を覆う駆動機構カバーと、駆動機構カバーの外面にヒンジを介して回動可能に取り付けられたクラッチカバーとを備えており、クラッチカバーは、ヒンジにより一方向に回動するように付勢されてなるとともに、一方向への回動終端位置において前記係合部材を覆っている。以下、第２の実施形態について説明を行うが、第１の実施形態と同一の構成については、上記と同様であるため説明を省略する。
【００３４】
駆動機構カバー９は、駆動機構７内に容器１からこぼれた被調理物等がゴミとして混入しないようにするために駆動機構７を保護するものである。駆動機構カバー９が設けられることにより、駆動機構７が破損するのを防止することができる。
駆動機構カバー９の材質は特に限定されることはないが、例えばステンレスやアルミニウム曲板等を使用することができる。
【００３５】
ヒンジ１０は、回動軸を挟んだ一方の部分は駆動機構カバー９に固定され、他方の部分はクラッチカバー１１に固定される。これによりクラッチカバー１１は、回動自在となる。
【００３６】
クラッチカバー１１は、係合部材６に容器１からこぼれた被調理物等がゴミとして混入しないようにするために係合部材６を保護するものである。クラッチカバー１１が設けられることにより、係合部材６が破損するのを防止することができる。クラッチカバー１１は、ヒンジ１０によって一方向（図１３にて時計回り方向）に回動するように付勢されている。
【００３７】
クラッチカバー１１は、図１４（ａ）（ｂ）（ｃ）に示される通り、ステンレスやアルミニウム等の金属の曲板からなるクラッチカバー本体１１１と、クラッチカバー本体１１１の上端部側辺に取り付けられている三角形板状の三角プレート１１２からなっている。三角プレート１１２は、係合部材６を覆った状態において、外側から内側へと向かって下がる傾斜辺を備えている。
【００３８】
以下、蓋体２を容器１に着脱する際の、クラッチカバー１１の動作について説明する。
蓋体２を上方向に回動させることによって容器１の開口部が開放されている状態では、図１３（ａ）に示す通り、係合部材６は、クラッチカバー１１によって覆われている。蓋体２を下方向に回動させることによって、容器１の開口部を閉塞させる際、蓋体側クラッチ爪４はクラッチカバー１１の三角プレート１１２の傾斜辺１１３と当接する。その後、さらに蓋体側クラッチ爪４は、ヒンジ１０の付勢方向と反対方向へとクラッチカバー１１を押しつつ、蓋体側クラッチ爪４の先端部４２の下面４３と係合部材６の下フランジ内面６１に当接するまで三角プレート１１２の側辺１１３と摺動しながら下がり、図１３（ｂ）の状態となる。ロック後この状態において圧力調理器で調理が開始される。
調理終了後は、ロックの解除後蓋体側クラッチ爪４が上昇することによって、蓋体側クラッチ爪４が次第に三角プレート１１２から離間し、蓋体側クラッチ爪４の押圧力が減少するため、クラッチカバー１１は、付勢方向に従って起き上がるように元の状態に戻り、図１３（ａ）の状態となり、係合部材６は再びクラッチカバー１１によって覆われる。
【００３９】
第２の実施形態において、図１３に示す通り蓋体側クラッチ爪４には、クラッチカバー１１の三角プレート１１２の傾斜辺１１３と摺接する位置（蓋体２を閉塞した時に傾斜辺１１３の上端に当接する位置）に、円筒形状の摺接部材４４が設けられるのが好ましい。摺接部材４４が設けられることにより、蓋体２によって容器１の開口部を閉塞させる際に、蓋体側クラッチ爪４はクラッチカバー１１をよりスムーズに押すことが可能となるからである。
摺接部材４４は、例えば図１３では、直径６ｍｍ、長さ１０ｍｍの円筒形状の部材が使用されている。
【産業上の利用可能性】
【００４０】
本発明は、一般的な鍋では調理できない、又は調理が可能であったとしても多くの調理時間を必要とするスジ肉やスネ肉、魚の骨等といった硬い素材を調理する圧力調理器に好適に利用されるものである。
【図面の簡単な説明】
【００４１】
【図１】本発明に係る第１の実施形態における圧力調理器のロック機構の図である。
【図２】本発明に係る第１の実施形態における圧力調理器の側面図である。
【図３】本発明に係る第１の実施形態における圧力調理器の蓋体の平面図である。
【図４】本発明に係る第１の実施形態における圧力調理器の蓋体側クラッチ爪の図であって（ａ）は正面図、（ｂ）は側面図、（ｃ）は底面図、（ｄ）は斜視図である。
【図５】本発明に係る第１の実施形態における圧力調理器の容器側クラッチ爪の図であって（ａ）は側面図、（ｂ）は斜視図である。
【図６】本発明に係る第１の実施形態における圧力調理器の係合部材の図であって（ａ）は正面図、（ｂ）は側面図、（ｃ）は斜視図である。
【図７】蓋体で開口部を閉塞した時において蓋体側クラッチ爪が係合部材の下フランジ内面に当接した状態で係合箇所を上側から上フランジを透過して見た図である。
【図８】本発明に係る第１の実施形態における圧力調理器の容器の平面図であって、（ａ）はロック機構と連結部材を配置した図、（ｂ）は駆動機構（エアシリンダ）を配置した図である。
【図９】本発明に係る第１の実施形態におけるロック機構の側面図であって、（ａ）はエアシリンダが収縮している図、（ｂ）はエアシリンダが伸長している図である。
【図１０】本発明に係る第１の実施形態における圧力調理器の蓋体を閉塞する直前の係合箇所の図である。
【図１１】本発明に係る第１の実施形態における圧力調理器の蓋体を閉塞した図である。
【図１２】本発明に係る第１の実施形態における圧力調理器の蓋体をロックした図である。
【図１３】本発明に係る第２の実施形態における圧力調理器の係合箇所周りの図であって（ａ）は蓋体を閉塞する前の状態を、（ｂ）は蓋体を閉塞した後の状態を示した図である。
【図１４】本発明に係る第２の実施形態における圧力調理器に使用されるクラッチカバーの構成図であって（ａ）は左側面図、（ｂ）は正面図、（ｃ）は右側面図である。
【符号の説明】
【００４２】
１．  容器
２．  蓋体
３．  ロック機構
４．  蓋体側クラッチ爪
５．  容器側クラッチ爪
６．  係合部材
７．  駆動機構
８．  連結部材
９．  駆動機構カバー
１０．  ヒンジ
１１．  クラッチカバー
１００．圧力調理器
【要約】      （修正有）【課題】複数箇所存在するロック機構によるロックを同時に作動又は解除することができ、ロックの一部のみが解除されることによって一箇所のみから圧力が抜けていくことによる危険性や蓋体、容器、固定具等の破損を防止することができる圧力調理器を提供する。【解決手段】容器の開口部の外周面に沿って複数箇所取り付けられ蓋体を閉位置において容器に固定するロック機構とからなる圧力調理器であって、ロック機構は、蓋体の外周面に沿って複数箇所取り付けられた蓋体側クラッチ爪と、蓋体側クラッチ爪と夫々対応する位置に取り付けられた容器側クラッチ爪と、蓋体側クラッチ爪と係合するとともに容器外周面に沿ってスライドすることによって蓋体側クラッチ爪と係合する複数の係合部材と、該係合部材をスライドさせる駆動機構とからなり、係合部材は、連結部材によって互いに連結されていることを特徴とする圧力調理器とする。【選択図】図８【図１】
0004203604.tif 000002
【図２】
0004203604.tif 000003
【図３】
0004203604.tif 000004
【図４】
0004203604.tif 000005
【図５】
0004203604.tif 000006
【図６】
0004203604.tif 000007
【図７】
0004203604.tif 000008
【図８】
0004203604.tif 000009
【図９】
0004203604.tif 000010
【図１０】
0004203604.tif 000011
【図１１】
0004203604.tif 000012
【図１２】
0004203604.tif 000013
【図１３】
0004203604.tif 000014
【図１４】
0004203604.tif 000015